(57)【要約】【課題】加熱後の被加熱物取り出時に、焼き網に手が触れ難い電気加熱調理器を提供する。【解決手段】扉５２で開閉される開口５１ａを有する加熱室５１を形成する内筐体５０と、内筐体５０内の上下に配した上・下ヒーター５３、５４間に配され扉５２の開閉に連動して内筐体５０内を前後に摺動する摺動体５５と、加熱室５１の前方下部を形成する遮熱板５６と、摺動体５６に戴置される焼き網５７から成り、焼き網５７は、略四角形の枠体５８と、その前後間に配された網線と、略コ字状に折曲し、両側端が枠体５８に回動自在に軸支された回動棒６０から成り、回動棒６０の中央部を下方に折り曲げて接片６１を形成し、焼き網５７を摺動体５５に戴置して扉５２を開放した時、接片６１が遮熱板５６上に当接して回動棒６０が上方に回動するもので、扉５２を開けると、被加熱物が回動棒６０で持ち上げられ、焼き網５７から離れるので、手が焼き網５７に触れにくい。【選択図】図１
2008116187.tif 000002
【特許請求の範囲】
【請求項１】
前面に開口を有する加熱室を形成する内筐体と、前記開口を開閉する扉と、前記内筐体内の上下に配した上・下ヒーターと、前記上・下ヒーター間に配され前記扉の開閉に連動して前記内筐体内を前後に摺動する摺動体と、前記加熱室の前方下部を形成する遮熱板と、前記摺動体に戴置される焼き網から成り、前記焼き網は、略四角形の枠体と、前記枠体の前後間に配された網線と、略コ字状に折曲し、両側端が前記枠体に回動自在に軸支された回動棒から成り、前記回動棒の中央部を下方に折り曲げて接片を形成し、前記焼き網を前記摺動体に戴置して前記扉を開放した時、前記接片が前記遮熱板上に当接して前記回動棒が上方に回動する構成とした電気加熱調理器。
【請求項２】
焼き網を上下逆向きにして摺動体に戴置して扉を開放した時、回動棒の下端に位置する折曲部が、遮熱板の上面部より後方に位置するようにした請求項１に記載の電気加熱調理器。
【請求項３】
前面に開口を有する加熱室を形成する内筐体と、前記開口を開閉する扉と、前記内筐体内の上下に配した上・下ヒーターと、前記上・下ヒーター間に配され前記扉の開閉に連動して前記内筐体内を前後に摺動する摺動体と、前記摺動体に戴置される焼き網から成り、前記焼き網は、略四角形の枠体と、前記枠体の前後間に配された網線と、略コ字状に折曲し、両側端が前記枠体に回動自在に軸支された回動棒から成り、前記回動棒の中央部を下方に折り曲げて接片を形成し、前記焼き網を前記摺動体に戴置して前記扉を開放した時、前記接片が前記扉に当接して前記回動棒が上方に回動する構成とした電気加熱調理器。
【請求項４】
焼き網を上下逆向きにして摺動体に戴置して扉を開放した時、回動棒の下端に位置する折曲部が、前記扉より後方に位置するようにした請求項３に記載の電気加熱調理器。
【請求項５】
回動棒に、網線の上下に位置する部分を設けて、前記回動棒の回動を前記網線で規制するようにした請求項１〜４のいずれか１項に記載の電気加熱調理器。
【発明の詳細な説明】
【技術分野】
【０００１】
本発明は、一般家庭用のオーブントースター等、調理物などの被加熱物を加熱するヒーターを備えた電気加熱調理器に関するものである。
【背景技術】
【０００２】
従来、この種の電気加熱調理器は、扉の開閉に連動して、内筐体内を前後に摺動する摺動体に、焼き網を戴置させるのが一般的であった（例えば、特開文献１参照）。
【０００３】
図１０は、前記特許文献１に記載された従来の電気加熱調理器の縦断面図である。図１０において、３２は、前面に開口３０ａを有する調理室３０を形成する内筐体で、内部に上ヒーター３４ａ、下ヒーター３４ｂを備えている。３７は、開口３０ａを開閉する扉体である。３８は、枠体で、扉体３７の開閉動作に連動して、内筐体３０内を前後に摺動する様に取り付けられ、それに焼網３９が戴置されるようになっている。
【特許文献１】特開昭６３−１５０５２７号公報（第４頁、第１図）
【発明の開示】
【発明が解決しようとする課題】
【０００４】
しかしながら、前記従来の電気加熱調理器の構成では、焼網３９上にパン等を置いて加熱すると、パンは焼網３９に全面接触しているので、焼きあがったパンを取り出す際に、手が高温の焼網３９に接触し易く、接触すると火傷をするという課題を有していた。
【０００５】
本発明は、前記従来の課題を解決するもので、パンなどの被加熱物を取り出す際に、手が高温の焼き網に触れにくく、安全性に優れた電気加熱調理器を提供することを目的とするものである。
【課題を解決するための手段】
【０００６】
前記従来の課題を解決するために、本発明の電気加熱調理器は、前面に開口を有する加熱室を形成する内筐体と、前記開口を開閉する扉と、前記内筐体内の上下に配した上・下ヒーターと、前記上・下ヒーター間に配され前記扉の開閉に連動して前記内筐体内を前後に摺動する摺動体と、前記加熱室の前方下部を形成する遮熱板と、前記摺動体に戴置される焼き網から成り、前記焼き網は、略四角形の枠体と、前記枠体の前後間に配された網線と、略コ字状に折曲し、両側端が前記枠体に回動自在に軸支された回動棒から成り、前記回動棒の中央部を下方に折り曲げて接片を形成し、前記焼き網を前記摺動体に戴置して前記扉を開放した時、前記接片が前記遮熱板上に当接して前記回動棒が上方に回動する構成としたもので、加熱調理後、扉を開放したときに、パンなどの被加熱物が回動棒で持ち上げられて、高温の焼き網から離れるので、被加熱物を取り出す際、手が焼き網に触れにくくなり、安全性の高い電気加熱調理器を提供することができる。
【０００７】
また、本発明の電気加熱調理器は、前面に開口を有する加熱室を形成する内筐体と、前記開口を開閉する扉と、前記内筐体内の上下に配した上・下ヒーターと、前記上・下ヒーター間に配され前記扉の開閉に連動して前記内筐体内を前後に摺動する摺動体と、前記摺動体に戴置される焼き網から成り、前記焼き網は、略四角形の枠体と、前記枠体の前後間に配された網線と、略コ字状に折曲し、両側端が前記枠体に回動自在に軸支された回動棒から成り、前記回動棒の中央部を下方に折り曲げて接片を形成し、前記焼き網を前記摺動体に戴置して前記扉を開放した時、前記接片が前記扉に当接して前記回動棒が上方に回動する構成としたもので、加熱調理後、扉を開放したときに、回動棒が扉に当接して上方に回動するので、パンなどの被加熱物が持ち上げられて、高温の焼き網から離れるので、被加熱物を取り出す際、手が焼き網に触れにくくなり、安全性の高い電気加熱調理器を提供することができる。
【発明の効果】
【０００８】
本発明の電気加熱調理器は、パンなどの被加熱物を取り出す際に、手が高温の焼き網に触れにくく、安全性に優れたものである。
【発明を実施するための最良の形態】
【０００９】
第１の発明は、前面に開口を有する加熱室を形成する内筐体と、前記開口を開閉する扉と、前記内筐体内の上下に配した上・下ヒーターと、前記上・下ヒーター間に配され前記扉の開閉に連動して前記内筐体内を前後に摺動する摺動体と、前記加熱室の前方下部を形成する遮熱板と、前記摺動体に戴置される焼き網から成り、前記焼き網は、略四角形の枠体と、前記枠体の前後間に配された網線と、略コ字状に折曲し、両側端が前記枠体に回動自在に軸支された回動棒から成り、前記回動棒の中央部を下方に折り曲げて接片を形成し、前記焼き網を前記摺動体に戴置して前記扉を開放した時、前記接片が前記遮熱板上に当接して前記回動棒が上方に回動する構成としたもので、加熱調理後、扉を開放したときに、パンなどの被加熱物が回動棒で持ち上げられて、高温の焼き網から離れるので、被加熱物を取り出す際、手が焼き網に触れにくくなり、安全性の高い電気加熱調理器を提供することができる。
【００１０】
第２の発明は、特に、第１の発明の焼き網を上下逆向きにして摺動体に戴置して扉を開放した時、回動棒の下端に位置する折曲部が、遮熱板の上面部より後方に位置するようにしたもので、受け皿を使って調理するときは、焼き網を上下逆向きにして摺動体にセットするが、この場合、扉を開けたとき、回動棒の下端に位置する折曲部が遮熱板に当接することが無いので、回動棒が回動せず、したがって受け皿も動かず安全性の高い電気加熱調理器を提供することができる。
【００１１】
第３の発明は、前面に開口を有する加熱室を形成する内筐体と、前記開口を開閉する扉と、前記内筐体内の上下に配した上・下ヒーターと、前記上・下ヒーター間に配され前記扉の開閉に連動して前記内筐体内を前後に摺動する摺動体と、前記摺動体に戴置される焼き網から成り、前記焼き網は、略四角形の枠体と、前記枠体の前後間に配された網線と、略コ字状に折曲し、両側端が前記枠体に回動自在に軸支された回動棒から成り、前記回動棒の中央部を下方に折り曲げて接片を形成し、前記焼き網を前記摺動体に戴置して前記扉を開放した時、前記接片が前記扉に当接して前記回動棒が上方に回動する構成としたもので、加熱調理後、扉を開放したときに、回動棒が扉に当接して上方に回動するので、パンなどの被加熱物が持ち上げられて、高温の焼き網から離れるので、被加熱物を取り出す際、手が焼き網に触れにくくなり、安全性の高い電気加熱調理器を提供することができる。
【００１２】
第４の発明は、特に、第３の発明の焼き網を上下逆向きにして摺動体に戴置して扉を開放した時、回動棒の下端に位置する折曲部が、前記扉より後方に位置するようにしたもので、受け皿を使って調理するときは、焼き網を上下逆向きにして摺動体にセットするが、この場合、扉を開けたとき、回動棒の下端に位置する折曲部が扉に当接することが無いので、回動棒が回動せず、したがって受け皿も動かず安全性の高い電気加熱調理器を提供することができる。
【００１３】
第５の発明は、特に、第１〜４のいずれか一つの発明の回動棒に、網線の上下に位置する部分を設けて、前記回動棒の回動を前記網線で規制するようにしたもので、回動棒の回転が規制され、不用意に回動棒が手に当たるのを防止でき安全性の高い電気加熱調理器を提供することができる。
【００１４】
以下、本発明の実施の形態について、図面を参照しながら説明する。なお、この実施の形態によって本発明が限定されるものではない。
【００１５】
（実施の形態１）
本発明の第１の実施の形態における電気加熱調理器について、図１〜９を用いて説明する。図１は、本実施の形態における電気加熱調理器の扉閉止状態の縦断面図、図２は、同電気加熱調理器の扉開放状態の縦断面図、図３は、同電気加熱調理器の焼き網の斜視図、図４は、同電気加熱調理器の正面図、図５は、同電気加熱調理器の扉閉止状態の横断面図、図６は、同電気加熱調理器の焼き網逆セットで扉閉止時の縦断面図、図７は、同電気加熱調理器の焼き網逆セットで扉開放時の縦断面図である。
【００１６】
図１〜７において、５０は、前面に開口５１ａを有する加熱室５１を形成する内筐体で、扉５２で、開口５１ａを開閉している。内筐体５０内の上部には、上ヒーター５３が、下部に下ヒーター５４がそれぞれ設けられ、上・下ヒーター５３、５４間には、摺動体５５が配されている。この摺動体５５の一側は、内筐体５０の側壁５０ａに設けた穴５０ｂ内に摺動自在に挿入され、他側は、扉５２に回動自在に軸支されている。
【００１７】
５６は、遮熱板で、内筐体５０の前方下部を形成している。５７は、焼き網で、略四角状の枠体５８と、枠体５８の前後には網線５９を配している。６０は、回動棒でコ字状に折曲し、図３に示すように、両側端が枠体５８に回動自在に軸支されている。回動棒６０のコ字状の折曲平面部は、更にクランク状に折り曲げて、回動棒６０の略中央部は下方に折曲して接片６１を設け、回動棒６０の両側線部には折曲部６２を設けている。
【００１８】
本実施の形態では、回動棒６０の接片６１を網線５９の下側に位置させ、折曲部６２など他の部分を、網線５９の上側に位置させるとともに、焼き網５７を摺動体５５に戴置して扉５２を開放した時、回動棒５８の接片６１が遮熱板５６の上部に位置するように構成している。
【００１９】
また、受け皿などを使う調理時に、焼き網５７を上下逆にして摺動体５５にセットした時、回動棒６０の最下部に位置する折曲部６２が、遮熱板５６の上面部５６ａより後方に位置するように全体を構成している。
【００２０】
以上のように構成された電気加熱調理器について、以下その動作、作用を説明する。
【００２１】
まず、焼き網５７を正規の状態で摺動体５５にセットし、焼き網５７上に、被加熱物として例えば、パンを置くと、回動棒６０の接片６１は遮熱板５６に乗っているので、回動棒６０が上方に回動してパンが焼き網５７より離れている。扉５２を閉じると、接片６１は遮熱板５６から離れ、回動棒６０は下方に回動して、パンが焼き網５７に全面接する様になる。
【００２２】
加熱後再び扉５２を開放すると、回動棒６０が遮熱板５６の上面に当たり、回動してパンを焼き網５７から離すこととなる。
【００２３】
以上のように、本実施の形態においては、扉５２開放時には、回動棒６０の接片６１が遮熱板５６の上面に当接して回動し、パンを焼き網５７から離して持ち上げるので、手が焼き網５７に触れにくく火傷しにくい構成となり、安全性の高い電気加熱調理器とすることができる。
【００２４】
（実施の形態２）
図８は、本発明の第２の実施の形態における電気加熱調理器の扉閉止状態の縦断面図、図９は、同電気加熱調理器の扉開放状態の縦断面図である。なお、上記第１の実施の形態における電気加熱調理器と同一部品については、同一符号を付してその説明を省略する。
【００２５】
本実施の形態は、図８、９に示すように、焼き網５７を摺動体５５に戴置して扉５２を開放した時、回動棒６０の接片６１が扉５２に当接し乗り上げるように構成したものである。また焼き網５７を上下逆にして摺動体５５にセットした時、回動棒６０の最下部に位置する折曲部６２は、扉５２より後方に位置するようにしている。
【００２６】
以上のように構成された本実施の形態における電気加熱調理器について、以下その動作、作用を説明する。
【００２７】
まず、焼き網５７を正規の状態で、摺動体５５にセットし、焼き網５７上にパンを置くと、図９に示すように、回動棒６０の接片６１は、扉５２に乗っているので、パンが焼き網５７より離れている。次に、扉５２を閉じると、図８に示すように、接片６１は、扉５２から離れ、回動棒６０が下方に回動して、パンの全面が焼き網５７に接する様になる。加熱後再び扉５２を開放すると、回動棒６０の接片６１が扉５２に乗り上げ、回動棒６０が上方に回動してパンを焼き網５７から離すこととなる。
【００２８】
以上のように、本実施の形態によれば、扉５２の開放時には、回動棒６０の回動で、パンを焼き網５７から離して持ち上げるので、手が焼き網５７に触れにくく火傷しにくい構成となり、安全性の高い電気加熱調理器とすることができる。
【産業上の利用可能性】
【００２９】
以上のように、本発明にかかる電気加熱調理器は、加熱調理後の扉の開放時に、パンなどの被加熱物が高温の焼き網から離れるので、安全で、使用勝手が良いもので、オーブンやロースター等の各種電気加熱調理器に広く適用できる。
【図面の簡単な説明】
【００３０】
【図１】本発明の実施の形態１における電気加熱調理器の扉閉止状態の縦断面図
【図２】同電気加熱調理器の扉開放状態の縦断面図
【図３】同電気加熱調理器の焼き網の斜視図
【図４】同電気加熱調理器の正面図
【図５】同電気加熱調理器の扉閉止状態の横断面図
【図６】同電気加熱調理器の焼き網逆セットで扉閉止時の縦断面図
【図７】同電気加熱調理器の焼き網逆セットで扉開放時の縦断面図
【図８】本発明の実施の形態２における電気加熱調理器の扉閉止状態の縦断面図
【図９】同電気加熱調理器の扉開放状態の縦断面図
【図１０】従来の電気加熱調理器の縦断面図
【符号の説明】
【００３１】
５０  内筐体
５１  加熱室
５１ａ  開口
５２  扉
５３  上ヒーター
５４  下ヒーター
５５  摺動体
５６  遮熱板
５７  焼き網
５８  枠体
５９  網線
６０  回動棒
６１  接片
６２  折曲部
【図１】
2008116187.tif 000003
【図２】
2008116187.tif 000004
【図３】
2008116187.tif 000005
【図４】
2008116187.tif 000006
【図５】
2008116187.tif 000007
【図６】
2008116187.tif 000008
【図７】
2008116187.tif 000009
【図８】
2008116187.tif 000010
【図９】
2008116187.tif 000011
【図１０】
2008116187.tif 000012